(57)【要約】  テープからのデータを記憶媒体上にコピーするための方法は、テープをファスト・ワインディング操作においてスキャンし（Ｂ）、ファスト・ワインディング操作の期間中テープ上に存在する制御パルス（ＣＴＬ）をカウンタにおいてカウントし、制御パルスの数および光学的な媒体の容量に依存して圧縮率を定め（Ｃ，Ｄ，Ｅ）、テープからのデータを読み取りかつ圧縮率を使用することによってデータを記憶媒体に書き込む（Ｇ）というステップを有している。アプライアンスは、メディアレコーダ、テープレコーダおよびこの方法を実行するためのマイクロコントローラを有している。アプライアンスは殊に、記憶媒体の容量を最適に使用することによってワンタッチコピー操作を介してテープに記憶されている情報をすべて記憶媒体上に自動化されたプロシージャにおいてコピーすることを可能にする。
2007514261.tif 000002
【特許請求の範囲】
【請求項１】
テープ（４）からのデータを記憶媒体上にコピーするための方法において、
テープ（４）をファスト・ワインディング操作においてスキャンし（Ｂ）、
前記高速巻き取り操作の期間中テープ上に存在する制御パルス（ＣＴＬ）をカウンタにおいてカウントし、
前記制御パルス（ＣＴＬ）の数および光学的な媒体の容量に依存して圧縮率を定め（Ｃ，Ｄ，Ｅ）、かつ
テープ（４）からのデータを読み取りかつ前記圧縮率を使用することによってデータを記憶媒体に書き込む（Ｇ）
ステップを有している方法。
【請求項２】
前記制御パルス（ＣＴＬ）はヘリカルスキャン記録と一緒にテープ（４）の長手トラックに記憶されたパルス、例えばＶＨＳ上に記録されたＣＴＬパルスであり、かつ
制御パルス（ＣＴＬ）の数から記録のランレングスを計算する（Ｃ）
請求項１記載の方法。
【請求項３】
当該方法を開始するためのユーザのコマンド後、テープ（４）をテープ（４）の始めまたはテープ（４）の終わりに巻き取るためのワインディング操作（Ａ）を最初に、例えばファスト・ワインディング操作を実施する
請求項１または２記載の方法。
【請求項４】
制御パルス（ＣＴＬ）をカウントするためのファスト・ワインディング操作期間、テープ（４）全体をスキャンし、かつそれから該テープを、テープ（４）の記録をすべて記憶媒体にコピーするためのワンタッチコピー操作を実施するためにテープの始めまたは終わりに巻き取る
請求項１から３までのいずれか１項記載の方法。
【請求項５】
記録のための圧縮率を計算する前に、記憶媒体をチェックして最大記録時間が定められるようにする（Ｄ）
請求項１から４までのいずれか１項記載の方法。
【請求項６】
記録に対する圧縮率を計算するとき、制御パルス（ＣＴＬ）のエラーのカウントを考慮するためのリザーブを含める
請求項１から５までのいずれか１項記載の方法。
【請求項７】
標準録画の制御パルス（ＣＴＬ）および長時間録画の制御パルス（ＣＴＬ）を異なったカウンタにおいて計算し、かつ
例えば２つの係数を使用することによって、長時間録画モードにおいて実施される記録に対してより高い圧縮率を定める
請求項１から６までのいずれか１項記載の方法。
【請求項８】
記憶媒体は光学的な記憶ディスク、ハードディスクまたは半導体デバイスである
請求項１から６までのいずれか１項記載の方法。
【請求項９】
メディアレコーダ（２）、例えばＤＶＤレコーダと、テープレコーダ（３）、例えばＶＨＳレコーダまたはＤＶレコーダと、マイクロコントローラと、第１メモリとを有しているアプライアンス（１）において、
マイクロコントローラは制御パルスを記憶するためのメモリを使用して、請求項１から８までのいずれか１項記載の方法を実行する
ことを特徴とするアプライアンス。
【請求項１０】
前記方法は、マイクロコントローラに関連付けられた、それぞれのアプライアンスの第２のメモリにプログラムとして記憶されており、かつ
マイクロコントローラは、それぞれのアプライアンスの制御ボタンを介してユーザによって開始されるときに当該方法を実行する
請求項９記載のアプライアンス。
【発明の詳細な説明】
【技術分野】
【０００１】
発明の背景
本発明は、データをテープから記憶媒体にコピーするための方法およびアプライアンスおよび殊に、ビデオレコーダからのＶＨＳテープの記録をデジタル汎用ディスク（Digital Versatile Disk＝ＤＶＤ）にコピーするための方法およびアプライアンスに関する。
【０００２】
コンシューマーエレクトロニクスマーケットにおいて、ＤＶＤはＶＨＳカセットをますます凌駕して主流品になっている。今日、ＤＶＤレコーダは既に有用であり、ユーザはこれを用いて映画またはテレビ番組をＤＶＤに直接コピーすることができる。ＤＶＤレコーダはまだ広範に使用されているＶＨＳレコーダに完全に置き換わろうという勢いである。光学的な記録媒体は例えばＤＶＤ＋ＲまたはＤＶＤ−Ｒに従ったディスクである。しかしながら、これらのディスクでは、記録可能なコンパクト・ディスク（ＣＤ−Ｒ）への記録に比べて、光学的な媒体のエリアにワンコピー動作しか行うことができない。
【０００３】
発明の概略
それ故に本発明の目的は、記憶媒体の利用可能な記録容量の効率的な使用を可能にする、テープからのデータを記録媒体上にコピーするための方法およびアプライアンスを提供することである。
【０００４】
この目的は、請求項１に記載されている発明による方法によっておよび請求項９に記載されている発明によるアプライアンスによって達成される。本発明の有利な実施例は従属請求項に記載されている。
【０００５】
テープからのデータを記憶媒体にコピーするための方法は、
（ａ）  テープをファスト・ワインディング操作においてスキャンし、
（ｂ）  ファスト・ワインディング操作の期間中、テープ上に存在する制御パルスをカウンタにおいてカウントし、
（ｃ）  制御パルスの数から記録のランレングスを計算し、
（ｄ）  光学的な媒体の容量に依存して圧縮率を定め、かつ
（ｅ）  テープからのデータを読み取りかつ前記圧縮率を使用することによってデータを光学的な記憶媒体に書き込む
というステップを有している。
【０００６】
それ故にいずれの制御パルスも有していないテープ部分は光学的な媒体にはコピーされない。記録の制御パルスの合計数を使用することによって、記録のランレングスを推定することができ、かつデータを記憶媒体に記録するための圧縮率を記憶媒体の容量を考慮して推定することができ、こうして記憶媒体の記録容量を効率的に使用できるようになる。
【０００７】
テープは例えば、それぞれの標準に従ったＶＨＳテープまたはＤＶテープであり、かつ記憶媒体は例えば記録可能なＤＶＤ、ハードディスク（ＨＤＤ）または半導体メモリ、すなわちフラッシュメモリカードである。ＶＨＳテープまたはＤＶテープ上の記録はテープの長手トラックに制御パルスを有しており、これらは記録のランレングスの尺度である。本発明の方法により、テープの記録のすべてを別の記憶媒体の容量を最適に使用することによってこの記憶媒体にコピーすることが可能である。
【０００８】
アプライアンスは、テープレコーダ、メディアレコーダおよび上述したように、テープからのデータを記憶媒体にコピーする方法を実行するマイクロコントローラを有している。アプライアンスは特に、テープレコーダとしてＶＨＳテープレコーダまたはＤＶレコーダ、およびメディアレコーダとしてＤＶＤレコーダを有している。このアプライアンスにより特に、テープの記録すべてを記録可能な記憶媒体にコピーするために、ユーザに好都合にも自動化されたプロシージャにおいてマイクロコントローラによって実行されるワンタッチコピー操作が可能になる。
【０００９】
図面の簡単な説明
本発明の有利な実施例を、概略図を参照して一層詳細に説明する。その際各図は：
図１はテープレコーダおよび光学的な媒体記録部を有しているアプライアンスを示し、
図２はテープと長手方向トラック上の制御パルスを示し、
図３はコピー操作のステップを説明するフローチャートを示し、
図４は図２のテープの、図３の方法に従った読み取りシーケンスを示している。
【００１０】
発明の詳細な説明
図１には、光学的な媒体記録部２およびテープレコーダ３を有しているアプライアンス１が示されている。光学的な媒体記録部２は殊にＤＶＤレコーダである。テープレコーダ３は殊にＶＨＳレコーダまたはＤＶレコーダである。アプライアンス１はさらに、所属のメモリ（図示されていない）を備えているマイクロコントローラを有している。これはテープレコーダ３に挿入されているテープからデータを光学的な媒体記録部２に挿入されている光学的な記憶媒体にコピーするためにものである。
【００１１】
アプライアンス１はボタンＢ１，Ｂ２を有している。これらはアプライアンス１の前面およびアプライアンス１を操作するためのリモートコントロール（図示されていない）に配置されている。アプライアンス１により殊に、ユーザがリクエストするとき、ワンタッチコピー操作を介して効率的な仕方で、テープ上に記録されたすべての情報を光学的な記憶媒体にコピーすることができる。
【００１２】
図２にはテープ４が示されている。これは３つの記録Ｒ１，Ｒ２およびＲ３の記録構造を簡単に示している。周知のように、ＶＨＳまたはＤＶ規格に従った記録からのデータはテープ４の斜めトラックに記憶されている。記録Ｒ１，Ｒ２，Ｒ３はテープ４の長手トラックに記録されている制御パルスＣＴＲも有している。図２に示されているように、テープが再生されるとき、記録Ｒ１は時間間隔ｔ１〜ｔ２に拡がり、記録Ｒ２は時間間隔ｔ３〜ｔ４に拡がりかつ記録Ｒ３は時間間隔ｔ５〜ｔ６に拡がっている。記録Ｒ１とＲ２との間にブランク部分５が示されており、かつ記録Ｒ２とＲ３との間にブランク部分６が示されており、これらはいずれのデータ記録も持っていない。
【００１３】
ＶＨＳテープ上の記録が、例えば標準録画（ＳＰ＝Standard Play）、長時間録画（ＬＰ＝Long Play）および拡張長時間録画（ＥＰ＝ExtendedＬＰ＝Long Play）と知られている種々の速度で行われている可能性があることは知られている。テープ上のロケーションを迅速に見つけるために、またはテープを巻き取るために、高速前送り操作および高速巻き戻し操作が公知である。テープ４の記録を再生するために、標準再生の他にさらに、スローモーション再生および高速再生として知られている操作モードがある。
【００１４】
本発明の方法により、すべての記録Ｒ１，Ｒ２，Ｒ３は記録媒体上に効率よい手法で記録される。次にこの方法の有利な実施例を図３に示されているフローチャートを参照して説明する。第１のステップＡにおいて、ユーザがアプライアンス１またはアプライアンス１のリモートコントロール上のそれぞれのボタンを押すと、テープ４はファスト・リワインド操作においてテープ４の始めまで巻き戻される。
【００１５】
第２のステップＢにおいて、テープ４はファスト・ワインディング操作においてスキャンされる。テープのスキャンニングの期間に、テープ４の長手トラックに存在している制御パルスＣＴＬはマイクロコントローラによって、例えばメモリのレジスタに制御パルスを加算することによってカウントされる。
【００１６】
ＣＴＬ制御パルスの合計カウントから、制御パルスの数をそれぞれの時間に変換することによって、記録Ｒ１，Ｒ２，Ｒ３のランレングスが計算される。このことは公知の手法で行うことができる。ＣＴＬ制御パルスはテープ４に記憶されている画像のフィールドと固定関係にあるからである。この方法により、種々異なっている記録モード標準録画、長時間録画および拡張長時間録画も考慮される。ブランク部分５および６は含まれていない。何故ならＣＴＬ制御パルスはそれぞれのテープ部分上には存在していないからである。テープ４の端部におけるいずれかの記録されていない部分もこの方法によってはカウントされない。
【００１７】
ステップＢにおいて、ワインディング操作として、ファスト・フォワード・ワインディング操作またはファスト・リワインド操作を使用してもよい。ファスト・リワインド操作の場合、第１のステップＡにおいてテープ４はテープ４の終端に巻き取られなければならない。
【００１８】
次のステップＤにおいて、マイクロコントローラは、記録媒体、例えば記録可能なＤＶＤの容量に対する尺度を示す値を取り出す。この値は予め、アプライアンス１のメモリに記憶しておくことができるか、または記憶媒体上のそれぞれの領域を読み取ることによって、該媒体上に記憶されている情報を介して記憶媒体から得るようにしてもよい。
【００１９】
次のステップＥにおいて、メモリにおいてカウントされるような制御パルスＣＴＬの合計数、および記憶媒体の容量を考慮することによって圧縮率が計算される。この圧縮率を用いて、記録Ｒ１，Ｒ２，Ｒ３は記憶媒体に書き込まれる前に、デジタルデータストリームに変換されることになる。殊に、圧縮率は、記憶媒体の全部の容量を使用するためにできるだけ低めに選択される。小さなリザーブを確保して、ステップＢ、すなわち高速ファスト・ワインディング操作におけるテープのスキャンニングの期間のＣＴＬ制御パルスのエラーが考慮されるようにすることができる。その場合には圧縮率は多少高めに選択される。記憶媒体に書き込むために標準に従った所定の圧縮率が既に存在していてもよい。その場合、テープの記録をすべて記憶媒体上にちょうど書き込むことを可能にする最低の圧縮率が選択される。
【００２０】
ＣＴＬ制御パルスをカウントするためにテープをスキャニングするとき（ステップＢ）、ＳＰ，ＬＰおよびＥＰを区別することができる。何故なら、時間間隔当たりのＣＴＬパルスの数はこれらの記録モードのそれぞれの場合に異なっているからである。それは、これら記録モードによって使用されるテープ速度が異なっているからである。それ故に、有利な実施例において、ステップＥにおける種々の記録モードに対して種々異なっている圧縮率を選択することができる。例えば標準録画モードに対する圧縮率の２倍の高さである長時間録画用圧縮率を使用することができる。
【００２１】
ステップＦにおいて、テープ４はテープの始端に巻き戻される。ステップＦはステップＤまたはＥの前に実現されるようにしてもよく、または類似にステップＤおよびＥをステップＦと同時に実施することもできる。
【００２２】
次のステップＧにおいて、テープ４のデータのすべて、記録Ｒ１．Ｒ２，Ｒ３がテープレコーダ３のプレイバック操作の期間に読み取られ、上述したように計算された圧縮率を使用することによってデジタルデータストリームに変換され、かつ光学式レコーダ２を用いて記憶媒体上に書き込むことができる。このステップにおいて、テープ４の全部のテープ長はフォワード・プレイバック操作においてスキャンされる。記録Ｒ１，Ｒ２，Ｒ３に記憶されているようなデータはこのステップにおいてそれぞれの記録標準に従って、すなわち標準録画ＳＰ、長時間録画ＬＰおよび拡張長時間録画ＥＰに従って読み取られる。
【００２３】
ブランク部分５および６の期間、光学式レコーダ２はポーズを実現する。それ故に光学式レコーダ２は図４に示されているように、時間間隔ｔ７〜ｔ８、ｔ９〜ｔ１０およびｔ１１〜ｔ１２の期間においてだけ記録される。何故なら、ブランク部分５および６はテープ４の再生期間にスキップされるまたは省かれるからである。
【００２４】
ブランク部分５および６はファスト・フォワード・ワインディング操作において、または標準プレイ・フォワード操作によってスキップすることができる。それ故に時間間隔ｔ８〜ｔ９およびｔ１０〜ｔ１１の期間、レコーダ２の記録動作は行われず、かつ時点ｔ１２において、記録動作は終了する。それから挿入された記録媒体は、記憶媒体のそれぞれの記録標準が要求する時点でファイナライズされる。
【００２５】
記憶媒体は今や、テープ４上に作られたものとして記録のすべてを含んでおり、かつ記憶媒体の容量は最適な仕方において使用される。それ故にこの方法はユーザによって、例えばアプライアンス１またはリモートコントロールのそれぞれのボタンを押圧することによってユーザによってスタートさせることができる自動的なプロシージャである。本質的な要求として、記録が行われているテープがテープレコーダ３に挿入され、かつ記憶媒体が光学的なレコーダ２に挿入されていることが保証されていなければならない。
【００２６】
別の有利な実施例において、図３に示されているようなステップＡは省略される。それ故にテープ４はテープの始端まで巻き取られない。その場合挿入されたときのテープ位置の前にあるテープのデータだけがステップＢにおいてスキャンされる。この方法により、ユーザはテープ４の第１部分をスキップすることができる。ステップＢを実行する前に、アプライアンス１のマイクロコントローラはこの実施例において、テープ４がテープレコーダ３に挿入されたテープ位置を記憶している。それからステップＦにおいて、テープはこのテープ位置に巻き戻されるだけである。
【００２７】
図３に関連して説明した方法は、図１に示されているように、アプライアンス１に収容されているマイクロコントローラによって実行される。アプライアンス１はさらに、図示されていないが、マイクロコントローラに関連付けられている、制御パルスＣＴＬの数がカウントされる少なくとも１つの第１のメモリと、この方法がマイクロコントローラに対するコマンドステップの形において記憶されている第２のメモリとを有している。マイクロコントローラは、それぞれのコピー操作がアプライアンス１のボタンまたはアプライアンス１のリモートコントロールのボタンによって開始されるとき、これらのコマンドステップに従ってメディアレコーダ２およびテープからのデータ３を操作する。
【００２８】
本発明は図に関連して説明した実施例に制限されておらず、かつ本発明の範囲を逸脱しない限り当業者には種々の利用可能な変形が可能である。例えば、記憶媒体としてフラッシュメモリカードまたは他の半導体メモリも使用可能であり、その場合アプライアンス１は光学的なレコーダ２の代わりにそれぞれのメディアレコーダを有している。光学的な媒体として、光学的なレコーダを使用して非常に種々の記憶容量を有している光ディスクまたは書き込み可能な光ディスクに一度に書き込むことができる。光学的なレコーダ２に代わって、固定のハードディスクまたはリプレース可能なハードディスクを備えているハードディスクレコーダ（ＨＤＤ）を使用してもよい。
【図面の簡単な説明】
【００２９】
【図１】テープレコーダおよび光学的な媒体記録部を有しているアプライアンスの略図
【図２】テープと長手方向トラック上の制御パルスを示す略図
【図３】コピー操作のステップを説明するフローチャート図
【図４】図２のテープの、図３の方法に従った読み取りシーケンスを説明する略図
【図１】
2007514261.tif 000003
【図２】
2007514261.tif 000004
【図３】
2007514261.tif 000005
【図４】
2007514261.tif 000006
【国際調査報告】
2007514261.tif 000007
2007514261.tif 000008
2007514261.tif 000009